(57)【要約】  移動体装置の位置を把握するための装置は、所定領域情報及び所定領域の進出入時のアラーム信号の生成と関連したトリガリング規則を含むトリガープロファイルを受信する受信部と、現在位置を把握する位置把握部と、トリガープロファイル及び位置把握部で把握された現在位置に基づいて、現在位置が所定領域の内部に進入するかまたは所定領域の内部から外部に進出する場合、トリガリング規則によってアラーム信号を発生させる領域進出入検出部と、アラーム信号の発生時に位置把握部で把握した現在位置を送信する送信部と、を備える。
2009513083.tif 000002
【特許請求の範囲】
【請求項１】
移動体装置の位置を把握するための装置であって、
所定領域情報、及び前記所定領域の進出入時のアラーム信号の生成と関連したトリガリング規則を含むトリガープロファイルを受信する受信部と、
現在位置を把握する位置把握部と、
前記トリガープロファイル及び前記位置把握部で把握された現在位置に基づいて、前記現在位置が前記所定領域内に進入するかまたは前記所定領域外へ進出するとき、前記トリガリング規則によってアラーム信号を発生させる領域進出入検出部と、
前記アラーム信号の発生時に、前記位置把握部で把握した前記現在位置を送信する送信部と、
を備えることを特徴とする装置。
【請求項２】
前記位置把握部は、
無線識別タグ信号判読器を備えることを特徴とする請求項１に記載の装置。
【請求項３】
前記位置把握部は、
ＧＰＳ衛星から受信した信号に基づいて、前記現在位置を把握することを特徴とする請求項１に記載の装置。
【請求項４】
前記送信部は、
前記現在位置の送信時に、送信時間間隔及び送信速度を調節することを特徴とする請求項１に記載の装置。
【請求項５】
前記アラーム信号の生成時に前記送信部から送信された前記現在位置を累積して、保存管理する位置情報データベース部をさらに備えることを特徴とする請求項１に記載の装置。
【請求項６】
移動体装置の位置を把握するための方法であって、
所定領域の情報と、前記所定領域の進出入時にアラーム信号の生成と関連したトリガリング規則とを含むトリガープロファイルを受信するステップと、
現在位置を把握するステップと、
前記把握した現在位置が前記所定領域の外部から前記所定領域の内部に進入したか否かまたは前記所定領域の内部から前記所定領域の外部に進出したか否かを検出するステップと、
前記現在位置が前記所定領域内へ移動または前記所定領域外へ移動したときに、前記トリガリング規則にしたがってアラーム信号を生成するステップと、
前記アラーム信号の生成時に前記アラーム信号と共に把握した前記現在位置を送信するステップと、
を含むことを特徴とする方法。
【請求項７】
前記現在位置を把握するステップは、
無線認識タグを利用して位置を把握するステップをさらに含むことを特徴とする請求項６に記載の方法。
【請求項８】
前記現在位置を把握するステップは、
ＧＰＳ衛星から受信した信号に基づいて、前記現在位置を把握することを特徴とする請求項６に記載の方法。
【請求項９】
前記アラーム信号の生成時に把握した現在位置を送信した記録を累積管理するステップをさらに含むことを特徴とする請求項６に記載の方法。
【発明の詳細な説明】
【技術分野】
【０００１】
本発明は、領域についての進出入時にトリガーの生成を行うことによって、無線移動通信装置及び携帯用装置のユーザの位置を把握する装置及び方法に関する。
【背景技術】
【０００２】
既存のトリガリングシステムは、全地球測位システム（ＧＰＳ：Ｇｌｏｂａｌ Ｐｏｓｉｔｉｏｎｉｎｇ Ｓｙｓｔｅｍ）にのみ依存し、サーバベースとして構成されており、室外から室内に進入するとき、室内測位信号の処理不在によりトリガリング結果の信頼度が低下する及びサーバの過負荷が発生するという問題点があった。
【０００３】
すなわち、追跡対象が増加するにつれて、位置追跡サーバの負荷が急増する。また、ＧＰＳ信号にのみ依存して位置を把握しているので、携帯電話を持ち歩くユーザが室外から室内に移動するとき、サーバでは、位置情報を獲得できないことによって正確にトリガリングできないという短所があった。
【０００４】
それ以外に、既存の携帯電話ベースの位置トリガーは、移動通信会社のＭＰＣ（Ｍｏｂｉｌｅ Ｐｏｓｉｔｉｏｎ Ｃｅｎｔｅｒ）で位置測位を行い、それぞれの携帯電話で特定サービスを受けるためにサーバから各携帯電話の位置情報をダウンロードする場合にのみサービスが提供される。そのような場合、サーバの負荷が携帯電話数の増加及び要求された演算量の増加と共に増大する。特に、携帯電話の空間についての演算をサーバで実行する場合、過度な演算によってサービス具現が難しいという問題点が発生する。
【０００５】
また、室外から室内に進入する時には、ＧＰＳ信号が切れて携帯電話の現在の位置を追跡できない。携帯電話が接続されたローカル局の情報だけしかサーバは獲得できないので、正確な位置情報が獲得できない。建物の入口に設置されたＲＦＩＤ（Ｒａｄｉｏ Ｆｒｅｑｕｅｎｃｙ ＩＤｅｎｔｉｆｉｃａｔｉｏｎ）の位置情報を獲得する付加的な装置が要求されことは不便である。
【発明の開示】
【発明が解決しようとする課題】
【０００６】
前記及び他の問題点を解決するために、本発明は、移動体装置の位置を特定するための装置及び方法を提供する。前記移動体装置は、室外（open space）だけでなく、部屋などの室内（closed space）でも当該移動体装置の現在位置を識別することができ、その移動体装置を所持したユーザが進出する領域に基づいて、移動体装置で空間の演算を行って移動体装置を所持したユーザが室内へ進入または室内から進出するときにアラームを送信することができ、したがって、サーバの負荷を減らすができる。
【課題を解決するための手段】
【０００７】
したがって、本願発明は移動体装置の位置を把握する装置を提供する。当該装置は、所定領域情報と前記所定領域の進出入時にアラーム信号を発生させるトリガリング規則とを含むトリガープロファイルを受信する受信部と、現在位置を把握する位置把握部と、前記所定領域に進入したときおよび前記所定領域から進出するときに、前記所定領域及び前記位置把握部で把握された現在位置に基づいて、前記トリガリング規則にしたがってアラーム信号を生成する領域進出入検出部と、前記アラーム信号の生成時に、前記位置把握部で把握した現在位置を送信する送信部と、を備える。
【０００８】
本願発明は移動体装置の位置を把握する方法を提供する。当該方法は、所定領域情報と前記所定領域の進出入時にアラーム信号を発生させるトリガリング規則とを含むトリガープロファイルを受信するステップと、現在位置を把握するステップと、前記把握した現在位置が前記所定領域の外部から前記所定領域の内部に進入した否かまたは前記所定領域の内部から前記所定領域の外部に進出したか否かを検出するステップと、前記現在位置が前記所定領域内へ移動または前記所定領域外へ移動したときに、前記トリガリング規則にしたがってアラーム信号を生成するステップと、前記アラーム信号の生成時に前記アラーム信号と共に把握した前記現在位置を送信するステップと、を含む。
【発明の効果】
【０００９】
本発明による移動体装置の位置を把握する装置では、ＧＰＳを利用した携帯電話ユーザの位置を把握することに加えて、ＲＦＩＤ判読器を携帯電話に装着させることによって、ユーザが室外にいる時だけでなく、室内にいる時にも、連続して位置把握が可能である。
【００１０】
したがって、ＧＰＳ信号のみに依存して位置を追跡する場合に発生するサーバの負荷増大を防止し、情報の獲得の困難な室内に進入したときのトリガリングの不正確性が改善される。
【００１１】
また、本発明による移動体装置の位置を把握する装置は、独立した位置把握が可能であり、サーバが要請する領域への進入及び領域からの進出時のトリガリングを独立して行う。したがって、トリガリング領域が増大するか、またはトリガリング対象が増加する場合にも、サーバの負荷を増大しない。
【発明を実施するための最良の形態】
【００１２】
以下、本発明の望ましい実施形態について、添付された図面を参照して説明する。図面中、同様の参照番号は同様の構成要素を表している。下記で本発明の説明において、関連した公知の機能または構成について具体的に説明することで本発明の要旨を必要以上に曖昧にすると判断される場合には、その詳細な説明を省略する。
【００１３】
図１は、本発明の望ましい一実施形態による、移動体装置の位置把握を概念的に示す。図１を参照すると、本発明の望ましい一実施形態による移動体装置位置把握装置は、当該移動体装置を有しているユーザの位置を特定する。
全地球測位システム（Ｇｌｏｂａｌ Ｐｏｓｉｔｉｏｎｉｎｇ Ｓｙｓｔｅｍ：ＧＰＳ）を利用する移動体装置位置把握装置を有しているユーザの位置を特定する。室外測位信号（ＧＰＳ）を通じた室外におけるＧＰＳを使用する位置把握に加え、本移動体装置位置把握装置は、室内における無線識別タグ（Ｒａｄｉｏ Ｆｒｅｑｕｅｎｃｙ ＩＤｅｎｔｉｆｉｃａｔｉｏｎ：ＲＦＩＤ”）を利用する位置把握まで可能にする。これについては、図２でさらに詳細に説明する。
【００１４】
図２は、本発明の望ましい一実施形態による、移動体装置の位置を把握する装置の構成を示す図である。図２を参照すると、移動体装置位置把握装置２００は、受信部２１０、位置把握部２２０、領域進出入検出部２３０、送信部２４０、位置情報データベース部２５０を備える。
【００１５】
受信部２００は、サーバの送信するトリガープロファイルを受信する。トリガープロファイルは、任意の領域または現行行政区域（広域市（道）、市、郡、区）の領域に進入するか、または任意の領域または現行行政区域から進出するときにトリガリングの発生をサーバが要請するプロファイルメッセージである。トリガープロファイルは、ユーザ、領域、時間、速度に基づいて設定されたトリガリング規則を含む。
【００１６】
位置把握部２２０は、ＧＰＳ及びＲＦＩＤを利用して移動体装置位置把握装置の現在位置を把握する。すなわち、ＧＰＳを利用して携帯電話、ＰＤＡのような移動体装置位置把握装置を有するユーザが地図上のどこにいるかを把握する。内蔵されたモバイル装置を有するユーザが室外から室内に進入する場合にも、建物室内の出入口に付着されたＲＦＩＤタグからＲＦＩＤ信号を獲得して、室内及び室外の移動に関係なしに連続的にユーザの位置把握を可能にする。モバイル装置内に装着されたＲＦＩＤ判読部は、室内建物に付着されたＲＦＩＤタグに保存された室内位置情報を獲得する。
【００１７】
領域進出入検出部２３０は、サーバから受信したトリガープロファイル内に含まれている所定領域についての情報及び位置把握部２２０で把握されたユーザの現在位置に基づいて、ユーザの現在位置が前記所定領域内に進入するか、または前記所定領域外に進出するかを判断する。すなわち、領域ベースのトリガリングを行う。
【００１８】
すなわち、受信したトリガープロファイル内に含まれた所定領域についての情報、既設定のトリガリング規則及びユーザの現在位置に基づいて、移動体装置位置把握装置で空間の演算が行われ、ユーザが前記所定領域に進入するか、または前記所定領域から進出する時に、前記トリガリング規則によってアラーム信号を生成する。
【００１９】
送信部２４０は、領域進出入検出部２３０でアラーム信号を生成する時に、位置把握部２２０で把握したユーザの現在位置情報を既設定のトリガリング規則に基づいて任意に設定したトリガリング時間、速度に合せて、サーバに所定領域への進出入を知らせるアラーム信号と共に、位置情報、時間、進出入情報を送信する。
【００２０】
位置情報データベース部２５０は、送信部２４０でアラーム信号と共に送信した位置情報及びトリガリングプロファイルがトリガリングを要請する所定領域についての情報を保存管理する。
【００２１】
図３は、本発明の望ましい一実施形態であって、移動体装置を有するユーザの位置把握を行うサーバの構成と図２の移動体装置位置把握装置とを示す。
【００２２】
図３の移動体装置位置把握装置３００の構成要素は、図２の移動体装置位置把握装置２００の構成要素に対応するものであって、これについての説明は省略する。
【００２３】
図３において、サーバ３６０は、トリガリング設定部３７０、位置及び出入情報管理部３８０及び検索データベース（ＤＢ）部３９０を備える。サーバ３６０では、位置を把握または識別しようとする移動体装置位置把握装置３００のトリガリング領域規則を設定し、位置把握している移動体装置位置把握装置３００の位置を管理し、移動体装置位置把握装置３００がトリガリング領域に進入するか、またはトリガリング領域から進出することを知らせるアラーム信号及び移動体装置位置把握装置３００の現在位置を受信して、この情報を管理する。
【００２４】
トリガリング設定部３７０は、移動体装置位置把握装置のユーザ別にトリガリングプロファイルを設定する。トリガリングプロファイルは、任意の領域または広域市、市、郡、区などの現行行政区域の領域についての情報と、時間、速度などのトリガリング規則についての情報とを含む。
【００２５】
位置及び進出入情報管理部３８０は、移動体装置位置把握装置３００の送信部３４０からトリガリングプロファイルで設定した任意の領域への進入または進出を知らせるアラーム信号及びモバイル位置把握装置３００の位置把握部３２０で把握した移動体装置位置把握装置３００の現在の位置情報を受信する。
【００２６】
検索データベース部３９０は、位置及び進出入情報管理部３８０から受信した情報を累積して保存管理し、移動体装置位置把握装置を所持したユーザの現在状態を知るために、これを検索してユーザの位置を把握する。また、検索データベース部３９０は、トリガリング領域を設定するためにマップデータベースを内蔵している。
【００２７】
図４は、サーバと図２の装置とを示す図面である。サーバは、各ユーザのトリガリングプロファイルを設定する。ユーザ、領域、時間、速度などのファクターに基づくトリガリング規則を設定するためのトリガリングプロファイルは、移動体装置位置把握装置に送信される。
【００２８】
移動体装置位置把握装置は、トリガリングプロファイルを受信して、トリガリングプロファイルからユーザ別にプロファイルを処理し、次いで、トリガリングプロファイル内のトリガリング領域情報に基づいて、移動体装置位置把握装置が領域へ進入または進出したか否かを検出してアラーム信号を生成し、アラーム信号に位置情報を加えて送信部を通じてサーバに送信する。位置把握部は、ＲＦＩＤ信号獲得器及びＧＰＳ信号獲得器を通じて、ユーザが室内に居るか室外に居るかに関係なく、ユーザの位置を続けて獲得可能である。
【００２９】
サーバは、位置及び進出入情報管理部から受信したアラーム信号と位置情報とを管理する。アラーム信号及び位置情報は、移動体装置位置把握装置の位置情報データベース部及びサーバの検索データベース部で保存及び管理される。
【００３０】
図５Ａないし図５Ｄは、領域トリガーのために設定した領域ポリゴンを示す。図５Ａ、図５Ｂ、図５Ｃのそれぞれは、広域市（道）、市及び郡領域、区領域の領域ポリゴンを示す。図５Ｄは、位置把握機能を有する移動体装置を所持したユーザが所定の領域、すなわちポリゴン内部に位置する場合５１０とポリゴン外部に位置する場合５２０とを示す。
【００３１】
図６は、移動体装置の位置把握を具現するためのフローチャートである。図６を参照すると、移動体装置位置把握装置では、サーバからユーザ別に任意の領域ポリゴンに対して、時間、速度などの規則を定めてトリガリングを要請するトリガープロファイルを受信する（Ｓ６１０）。移動体装置位置把握装置は、ＧＰＳ信号及びＲＦＩＤ信号を利用して現在の位置を把握し（Ｓ６２０）、前記把握した移動体装置位置把握装置の現在位置とトリガープロファイルでトリガリングを要請する領域ポリゴンとを比較して、領域ポリゴンに対する進出入を検出する（Ｓ６３０）。
【００３２】
進出入が発生するとき、移動体装置位置把握装置は、アラーム信号を生成して送信し、それと同時に、現在の移動体装置位置把握装置の位置情報とその他の状況情報を共に送信する（Ｓ６４０）。次いで、移動体装置位置把握装置は、アラーム信号及び位置情報を累積して保存管理し、移動体装置位置把握装置の位置を把握し管理する（Ｓ６５０）。
【００３３】
本発明はまた、コンピュータで読み取り可能な記録媒体にコンピュータ可読コードとして具現できる。コンピュータで読み取り可能な記録媒体は、コンピュータシステムによって読み取られるデータが保存される全ての種類の記録装置を含む。コンピュータで読み取り可能な記録媒体の例としては、ＲＯＭ（Ｒｅａｄ Ｏｎｌｙ Ｍｅｍｏｒｙ）、ＲＡＭ（Ｒａｎｄｏｍ Ａｃｃｅｓｓ Ｍｅｍｏｒｙ）、ＣＤ−ＲＯＭ、磁気テープ、フロッピー（登録商標）ディスク、光データ保存装置があり、またキャリアウェーブ（例えば、インターネットを通じた送信）の形態で具現されるものも含む。また、コンピュータで読み取り可能な記録媒体は、ネットワークに接続されたコンピュータシステムに分散され、分散方式でコンピュータ可読コードが保存され、かつ実行されることができる。
【００３４】
以上、本発明を詳細に示し本発明の望ましい実施形態について説明したが、当業者ならば、添付の特許請求の範囲に規定されるような本発明の要旨及び範囲を逸脱することなく、詳細および形態について多様な変形が可能であるということが分かるであろう。
【図面の簡単な説明】
【００３５】
【図１】本発明の望ましい一実施形態による、移動体装置の位置把握を概念的に示す図面である。
【図２】本発明の望ましい一実施形態による、移動体装置の位置を把握する装置の構成を示す図面である。
【図３】移動体装置を所持するユーザの位置把握を行うサーバ及び図２の装置の構成を示す図面である。
【図４】サーバと図２の装置とを示す図面である。
【図５Ａ】領域トリガーのために設定した領域ポリゴンを示す図面である。
【図５Ｂ】領域トリガーのために設定した領域ポリゴンを示す図面である。
【図５Ｃ】領域トリガーのために設定した領域ポリゴンを示す図面である。
【図５Ｄ】領域トリガーのために設定した領域ポリゴンを示す図面である。
【図６】移動体装置で位置把握を具現するためのフローチャートである。
【図１】
2009513083.tif 000003
【図２】
2009513083.tif 000004
【図３】
2009513083.tif 000005
【図４】
2009513083.tif 000006
【図５Ａ】
2009513083.tif 000007
【図５Ｂ】
2009513083.tif 000008
【図５Ｃ】
2009513083.tif 000009
【図５Ｄ】
2009513083.tif 000010
【図６】
2009513083.tif 000011
【国際調査報告】
2009513083.tif 000012
2009513083.tif 000013